(57)【特許請求の範囲】
【請求項１】
モータ（８１）に通電されるモータ電流が流れる第３配線（９１）と、
前記モータ（８１）と共にモータ装置（８）に含まれ前記モータ（８１）を駆動するためのモータ駆動部（８２）、に通電される駆動電流が流れる第２配線（９２）と、
前記第２配線（９２）上を流れる前記駆動電流を平準化する電流平準化部（９３）と、
前記モータ（８１）に通電された後の前記モータ電流と前記電流平準化部（９３）により平準化された後の前記駆動電流とが流れる第１配線（９４）と、
前記第１配線（９４）上を流れる前記モータ電流と平準化された前記駆動電流との和を検出する電流検出部（９５）と、
を備える、電流検出装置（９）。
【請求項２】
前記電流平準化部（９３）は、前記第２配線（９２）上に直列に接続された抵抗（Ｒ１）と、前記抵抗（Ｒ１）に対し並列に前記第２配線（９２）に接続されたコンデンサ（Ｃ１）とを有する、
請求項１に記載の電流検出装置（９）。
【請求項３】
請求項１または２に記載の電流検出装置（９）と、
前記モータ駆動部（８２）と共に前記モータ装置（８）に含まれ、前記モータ電流が通電されるファンモータ（８１）と、
前記ファンモータ（８１）により回転駆動されるファン（６ｂ）と、
前記電流検出装置（９）の前記電流検出部（９５）により検出された前記モータ電流と平準化された前記駆動電流との和に基づいて前記モータ電流を算出し、算出された前記モータ電流に基づいて前記ファン（６ｂ）から室内に送られる風量の制御を行う制御部（１０）と、
を備える、空気調和装置（１）。
【発明の詳細な説明】
【技術分野】
【０００１】
本発明は、電流検出装置に関する。また、本発明は、電流検出装置を備えた空気調和装
置に関する。
【背景技術】
【０００２】
空気調和装置は、圧縮機やファン等の各種機器を備えている。これらの機器の動力源としては、モータが良く用いられる。モータは、複数のスイッチング素子からなるモータ駆動部（以下、ドライバと言う）と接続され、ドライバ内の各スイッチング素子がオン及びオフを行うことで出力される駆動電圧により、回転することができる。
【０００３】
また、圧縮機やファン等の各種機器を適切な状態で動作させるために、モータの回転数を制御する場合がある。このようなモータの回転数制御には、モータに通電されるモータ電流が良く用いられる。ここで、モータ電流を検出する方法としては、例えば特許文献１に開示されているように、電流検出用素子としてのシャント抵抗をモータ電流が流れる配線上に直列に接続し、シャント抵抗の両端電圧に基づいてモータ電流を検出するする技術が知られている。
【特許文献１】特開２００５−１９２３５８号公報
【発明の開示】
【発明が解決しようとする課題】
【０００４】
ところで、モータとドライバとが個別に設けられる場合以外に、モータとドライバとがモータ装置中に内蔵されている場合がある。しかしながら、このようなモータ装置において、モータ部分に流れるモータ電流を検出するために特許文献１に係る技術を適用した場合、そのモータ装置の構成上、シャント抵抗が直列に接続された配線上には、モータ電流に加えてドライバを流れる駆動電流が流れてしまうため、精度の良いモータ電流を得ることは困難となってしまう。
【０００５】
そこで、本発明は、精度の良いモータ電流が得られる電流検出装置と、これを備えた空気調和装置との提供を目的とする。
【課題を解決するための手段】
【０００６】
発明１に係る電流検出装置は、第３配線と、第２配線と、電流平準化部と、第１配線と、電流検出部とを備える。第３配線には、モータに通電されるモータ電流が流れる。第２配線には、モータ駆動部に通電される駆動電流が流れる。モータ駆動部は、モータと共にモータ装置に含まれており、モータを駆動するためのものである。電流平準化部は、第２配線上を流れる駆動電流を平準化する。第１配線には、モータに通電された後のモータ電流と、電流平準化部により平準化された後の駆動電流とが流れる。電流検出部は、第１配線上を流れるモータ電流と平準化された駆動電流との和を検出する。
【０００７】
この電流検出装置では、モータ及びモータ駆動部がモータ装置に内蔵されている場合において、モータ電流が流れる第３配線と、駆動電流が流れる第２配線とが別々に設けられており、第２配線上を流れる駆動電流のみが電流平準化部によって平準化される。そして、第１配線上には、モータ電流と、平準化された駆動電流とが流れ、電流検出部は、この電流の和を検出する。つまり、モータ及びモータ駆動部がモータ装置に内蔵されている場合において、駆動電流が変動する場合であっても、この駆動電流は、第２配線上にて電流平準化部により平準化された後、第１配線上に流れ、モータ電流と合流する。これにより、電流検出部により検出されたモータ電流と平準化された駆動電流との和に基づいて、精度の良いモータ電流を求めることができる。
【０００８】
発明２に係る電流検出装置は、発明１に係る電流検出装置であって、電流平準化部は、抵抗とコンデンサとを有する。抵抗は、第２配線上に直列に接続されている。コンデンサは、抵抗に対し並列に第２配線に接続されている。
【０００９】
この電流検出装置における電流検出部は、抵抗及びコンデンサからなるいわゆるフィルタ回路で構成されている。このように、電流検出装置は、簡単な構成を有する電流平準化部により、駆動電流を平準化することができる。
【００１０】
発明３に係る空気調和装置は、電流検出装置と、ファンモータと、ファンと、制御部とを備える。電流検出装置は、発明１または２に係る電流検出装置である。ファンモータは、モータ駆動部と共にモータ装置に含まれ、モータ電流が通電される。ファンは、ファンモータにより回転駆動される。制御部は、電流検出装置の電流検出部により検出されたモータ電流と平準化された駆動電流との和に基づいてモータ電流を算出する。そして、制御部は、算出されたモータ電流に基づいて、ファンから室内に送られる風量の制御を行う。
【００１１】
この空気調和装置によると、電流検出装置により検出されたモータ電流と平準化された駆動電流との和に基づいてモータ電流を精度良く求めることができると共に、このモータ電流を用いて、例えば室内に送られる風量が一定となるような制御を行うことができる。
【発明の効果】
【００１２】
発明１に係る電流検出装置によると、モータ及びモータ駆動部がモータ装置に内蔵されている場合において、駆動電流が変動する場合であっても、モータ電流と平準化された駆動電流との和に基づいて精度の良いモータ電流を得ることができる。
【００１３】
発明２に係る電流検出装置によると、簡単な構成を有する電流平準化部により、駆動電流は平準化される。
【００１４】
発明３に係る空気調和装置によると、電流検出装置の電流検出部により検出されたモータ電流と駆動電流との和に基づいてモータ電流を精度良く求めることができると共に、このモータ電流を用いて、例えば室内に送られる風量が一定となるような制御を行うことができる。
【発明を実施するための最良の形態】
【００１５】
以下、本発明に係る電流検出装置及びこれを備えた空気調和装置について、図面を用いて説明する。
【００１６】
（１）構成
図１は、本発明の一実施形態に係る空気調和装置１の構成を示す平面概略図である。図１の空気調和装置１は、熱交換器の表面にシリカゲル等の吸着剤を担持したデシカント式の外調機であって、室内空間に供給される空気に対して冷房除湿運転、あるいは暖房加湿運転を行う。
【００１７】
このような空気調和装置１は、図１〜図４及び図７に示すように、主として、ケーシング２、第１及び第２熱交換器３ａ，３ｂ、圧縮機４、圧縮機用モータ５、第１及び第２ファン６ａ，６ｂ、第１ファンモータ７、第２ファンモータ装置８、電流検出装置９、及び制御部１１を備える。そして、第１熱交換器３ａ、第２熱交換器３ｂ及び圧縮機４は、図２に示すような冷媒回路を構成している。
【００１８】
（１−１）ケーシング
ケーシング２は、略直方体の形状を有しており、その内部には第１及び第２熱交換器３ａ，３ｂや圧縮機４、第１及び第２ファン６ａ，６ｂ等が収納されている。図１において、ケーシング２の左側面板２１ａには、室外空気ＯＡをケーシング２内部に吸い込むための第１吸込口２２と、室内空気ＲＡをケーシング２内部に吸い込むための第２吸込口２３とが形成されている。一方、ケーシング２の右側面板２１ｂには、排出空気ＥＡを室外に排出するための第１吹出口２４と、調湿後の空気ＳＡを室内に供給するための第２吹出口２５とが形成されている。尚、第２吹出口２５には、室内に延びる配管が接続されており、調湿された後の空気ＳＡはこの配管を通じて室内に供給される。
【００１９】
また、ケーシング２の内部には、ケーシング２の内部を仕切る仕切板２６が設けられている。この仕切板２６により、ケーシング２の内部は、空気室Ｓ１と機械室Ｓ２とに分けられている。空気室Ｓ１には、第１及び第２熱交換器３ａ，３ｂや、各熱交換器３ａ，３ｂの仕切部材が配置されており、機械室Ｓ２には、第１及び第２熱交換器３ａ，３ｂを除く他の機器（具体的には、圧縮機４や第１及び第２ファン６ａ，６ｂ等）が配置されている。
【００２０】
（１−２）熱交換器
第１熱交換器３ａ及び第２熱交換器３ｂは、図３に示すように、クロスフィン式のフィン・アンド・チューブ型の熱交換器であって、略長方形板状に形成されたアルミニウム製の多数のフィン３１と、このフィン３１を貫通する銅製の伝熱管３２とを備えている。各フィン３１及び伝熱管３２の外表面には、各熱交換器３ａ，３ｂを通過する空気に含まれる水分を吸着させる吸着剤がディップ成形（浸漬成形）等によって担持されている。ここで、吸着剤としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料等を使用することができる。
【００２１】
このような第１及び第２熱交換器３ａ，３ｂは、図２に示すように、膨張弁１３を介して互いに接続されている。例えば、第１熱交換器３ａは、第２吸込口２３から吸い込まれた室内空気ＲＡと熱交換を行い、第２熱交換器３ｂは、第１吸込口２２から吸い込まれた室外空気ＯＡと熱交換を行う。熱交換後の室内空気ＲＡは、排出空気ＥＡとして室外に排出され、熱交換後の室外空気ＯＡは、調湿後の空気ＳＡとして室内に供給される。
【００２２】
尚、上記第１及び第２熱交換器３ａ，３ｂは、第１熱交換器３ａが凝縮器、第２熱交換器３ｂが蒸発器として機能する第１状態と、第１熱交換器３ａが蒸発器、第２熱交換器３ｂが凝縮器として機能する第２状態とのいずれかを採り得るように、制御部１１により制御される。第１状態においては、第１熱交換器３ａが凝縮器として機能する際に吸着剤から水分を脱離させる吸着剤の再生動作、第２熱交換器３ｂが蒸発器として機能する際に吸着剤に水分を吸着させる吸着動作が行われる。また、第２状態においては、第１熱交換器３ａが蒸発器として機能する際に吸着剤に水分を吸着させる吸着動作、第２熱交換器３ｂが凝縮器として機能する際に吸着剤から水分を脱離させる吸着剤の再生動作が行われる。このように、吸着動作と再生動作とが交互に行われると共に、各熱交換器３ａ，３ｂを通過して室内外へ供給される空気ＥＡ，ＳＡの流路が切り換わることで、吸着剤における水分の吸着と放出（即ち脱離）とを継続して行うことができる。従って、空気調和装置１は、除湿性能或いは加湿性能を維持しつつ各種運転を行うことができる。
【００２３】
ここで、各熱交換器３ａ，３ｂを通過して室内外へ供給される空気ＥＡ，ＳＡの流路切換は、図示しない切換ダンパにより行われる。切換ダンパは、室外空気ＯＡや室内空気ＲＡが第１熱交換器３ａ及び第２熱交換器３ｂのいずれかを通過した後第１吹出口２４または第１吹出口２５から吹き出されるように、空気の流路を切り換えるものである。
【００２４】
（１−３）圧縮機及び圧縮機用モータ
圧縮機４は、図２に示すように、四路切換弁１２を介して第１熱交換器３ａ及び第２熱交換器３ｂに接続されている。圧縮機４は、蒸発器として機能する第１熱交換器３ａまたは第２熱交換器３ｂからの冷媒を圧縮する。圧縮動作を行う圧縮機４は、圧縮機用モータ５により駆動される。
【００２５】
圧縮機用モータ５は、圧縮機４と接続されている。このような圧縮機用モータ５は、例えばブラシレスＤＣモータであって、圧縮機用モータ５用のドライバ５１（図７）により回転駆動される。
【００２６】
（１−４）ファン及びファンモータ
第１ファン６ａは、図１に示すように、第１吹出口２４に対応する位置に設けられており、排出空気ＥＡを第１吹出口２４を介してケーシング２外部（具体的には室外）に送り出す。第２ファン６ｂは、第２吹出口２５に対応する位置に設けられており、調湿後の空気ＳＡを第２吹出口２５を介してケーシング２外部（具体的には室内）に送り出す。第１ファン６ａは、第１ファンモータ７（図７）により回転駆動され、第２ファン６ｂは、第２ファンモータ装置８により回転駆動される。
【００２７】
第１ファンモータ７は、第１ファン６ａと接続されている。第１ファンモータ７は、圧縮機用モータ５と同様、例えばブラシレスＤＣモータであって、第１ファンモータ７用の第１モータドライバ７１により回転制御される。第２ファンモータ装置８は、第２ファン６ｂと接続されており、図４及び図７に示すように、第２ファンモータ８１と第２モータドライバ（モータ駆動部に相当）８２とを含む装置である。第２ファンモータ８１は、例えばブラシレスＤＣモータであって、具体的には複数の磁極を有する永久磁石からなるロータと、駆動コイルを有するステータとを有している。第２モータドライバ８２は、第２ファンモータ８１を回転駆動させるためのものであって、第２ファンモータ８１の駆動コイルに電流を通電させるためのスイッチング素子を含む。このような構成を有する第２モータドライバ８２は、ステータに対するロータの位置に応じた駆動電圧を第２ファンモータ８１に出力する。
【００２８】
（１−５）電流検出装置
電流検出装置９は、第２ファンモータ８１に通電されるモータ電流Ｉｍを含むＧＮＤ電流Ｉｇ（後述）を検出するためのものであって、図４に示すように、第２ファンモータ８１供給用の電源（以下、モータ用電源という）を生成するモータ用電源装置１０ａ及び第２モータドライバ８２供給用の電源（以下、駆動用電源という）を生成する駆動用電源装置１０ｂと共にプリント基板Ｐ１に実装されている。ここで、モータ用電源装置１０ａ及び駆動用電源装置１０ｂの種類としては、ドロッパー方式の電源やスイッチング電源等が挙げられる。また、プリント基板Ｐ１と第２ファンモータ装置８とは、プリント基板Ｐ１のインターフェースと第２ファンモータ装置８のインターフェースとの間の３本のハーネスＬ１，Ｌ２，Ｌ３により接続されている。これらの３本のハーネスＬ１〜Ｌ３のうち２本のハーネスＬ１，Ｌ２は、各電源装置１０ａ，１０ｂから出力される電源用のハーネスであって、残りの１本のハーネスＬ３は、第２ファンモータ装置８のＧＮＤ用のハーネスである。
【００２９】
以下に、本実施形態に係る電流検出装置９の構成について、主に図４を用いて説明する。電流検出装置９は、モータ用電源配線９１、駆動用電源配線９２（第２配線に相当）、電流平準化部９３、ＧＮＤ配線（第１配線に相当）９４及び電流検出部９５を備える。
【００３０】
モータ用電源配線９１は、モータ用電源装置１０ａの出力とプリント基板Ｐ１のインターフェースとを繋ぐ配線であって、モータ用電源装置１０ａから出力されたモータ用電源が印加される。そして、このモータ用電源は、ハーネスＬ１を介して第２ファンモータ装置８の第２ファンモータ８１に印加される。従って、モータ用電源配線９１上には、第２ファンモータ８１に通電されるモータ電流Ｉｍが流れる。
【００３１】
駆動用電源配線９２は、駆動用電源装置１０ｂの出力とプリント基板Ｐ１のインターフェースとを繋ぐ配線であって、駆動用電源装置１０ｂから出力された駆動用電源が印加される。そして、この駆動用電源は、ハーネスＬ２を介して第２ファンモータ装置８の第２モータドライバ８２に印加される。従って、駆動用電源配線９２上には、第２モータドライバ８２に通電される駆動電流Ｉｄが流れる。
【００３２】
電流平準化部９３は、駆動用電源配線９２上を流れる駆動電流Ｉｄを平準化するためのものであって、抵抗Ｒ１とコンデンサＣ１とからなるフィルタ回路で構成されている。抵抗Ｒ１は、駆動用電源配線９２上に直列に接続されており、コンデンサＣ１は、抵抗Ｒ１に対し並列に駆動用電源配線９２に接続されている。より具体的には、コンデンサＣ１の一端ｑ１は、駆動用電源配線９２のうち抵抗Ｒ１よりも駆動電流Ｉｄ下流側に接続され、他端ｑ２は、ＧＮＤ配線９４に接続されている。
【００３３】
ここで、抵抗Ｒ１の抵抗値及びコンデンサＣ１の容量値は、例えば以下のようにして決定される。先ず、電流平準化部９３が備えられていない場合における駆動電流Ｉｄ'において、駆動電流Ｉｄ'が特に変化するために平準化させるべき部分の周波数ｆを測定しておく（図５）。そして、この周波数ｆが、抵抗Ｒ１とコンデンサＣ１との時定数とほぼ等しくなるように、抵抗Ｒ１の抵抗値及びコンデンサＣ１の容量値を求める。このようにして決定された抵抗Ｒ１及びコンデンサＣ１で構成されるフィルタ回路により、駆動電流Ｉｄ'は図６に示すように平準化される。
【００３４】
ＧＮＤ配線９４は、各種電源装置１０ａ，１０ｂのＧＮＤとプリント基板Ｐ１のインターフェースとを繋ぐ配線であって、ハーネスＬ３を介して第２ファンモータ装置８のＧＮＤと接続されている。従って、ＧＮＤ配線９４上には、モータ電流Iｍと平準化された駆動電流Iｄとが足された電流（以下、ＧＮＤ電流Ｉｇという）が流れる。
【００３５】
電流検出部９５は、ＧＮＤ配線９４上を流れるＧＮＤ電流Ｉｇ、即ちモータ電流Ｉｍ及び平準化された駆動電流Ｉｄの和を検出する。このような電流検出部９５は、主として、シャント抵抗RｓやオペアンプＯＰ１等で構成されている。シャント抵抗Ｒｓは、ＧＮＤ配線９４に直列に接続されている。より具体的には、シャント抵抗Ｒｓは、ＧＮＤ配線９４上のうち、電流平準化部９３におけるコンデンサＣ１の他端ｑ２よりもＧＮＤ電流Ｉｇ下流側に接続されている。オペアンプＯＰ１の２つの入力端子は、それぞれシャント抵抗Ｒｓの両端部に接続されており、出力端子は、制御部１１に接続されている。オペアンプＯＰ１は、入力端子から入力された電圧を所定のゲインにより増幅させると、これを制御部１１に出力する。
【００３６】
（１−６）制御部
制御部１１は、ＲＡＭやＲＯＭ等のメモリとＣＰＵとで構成されるマイクロコンピュータであって、図７に示すように、四路切換弁１２や膨張弁１３、圧縮機用ドライバ５１、第１モータドライバ７１と接続されており、接続された各機器の制御を行う。例えば、制御部１１は、四路切換弁１２の経路切換制御や、圧縮機用ドライバ５１及び第１モータドライバ７１の駆動制御等を行う。
【００３７】
特に、本実施形態に係る制御部１１は、第２ファンモータ装置８及び電流検出装置９とも接続されており、これらの機器の制御を行う。具体的には、制御部１１は、電流検出装置９の電流検出部９５により検出されたＧＮＤ電流Ｉｇを取り込むと、これをＡ／Ｄ変換する。次いで、制御部１１は、Ａ／Ｄ変換された後のＧＮＤ電流Ｉｇからモータ電流Ｉｍを算出し、このモータ電流Ｉｍに基づいて第２モータドライバ８２の回転数制御を行うことで、第２ファン６ｂから室内に送られる風量の制御を行う。ここで、風量制御の内容としては、室内への風量が一定となるような風量制御が挙げられる。
【００３８】
ここで、ＧＮＤ電流Ｉｇからモータ電流Ｉｍを判断する方法としては、例えば以下の方法が挙げられる。駆動電流Ｉｄが平準化されると、その値は０Ａに近くなる。すると、図６に示すように、平準化された駆動電流Ｉｄを含むＧＮＤ電流Ｉｇには、その値が０Ａに近くなる区間が生じる（図６のＧＮＤ電流Ｉｇの区間Ａ）。これは、モータ電流Ｉｍが周期的に第２ファンモータ８１に通電されるのに対し、平準化された駆動電流Ｉｄは、ほぼ一定の状態（即ち、０Ａに近い状態）を保っていることに起因する。そのため、ＧＮＤ電流Ｉｇには、区間Ａのように、第２ファンモータ８１にはモータ電流Ｉｍが通電されず駆動電流Ｉｄのみが含まれている区間が生じる。そこで、制御部１１は、この区間Ａのように、０Ａに近い値を保っている区間のＧＮＤ電流Ｉｇを駆動電流Ｉｄとして決定し、図６の区間Ｂのように、モータ電流Ｉｍと平準化された駆動電流Ｉｄとが含まれている区間のＧＮＤ電流Ｉｇの値から駆動電流Ｉｄを減算することで、モータ電流Ｉｍを求める。
【００３９】
上述したように、制御部１１がＧＮＤ電流Ｉｇから算出したモータ電流Ｉｍを用いて第２ファンモータ８１の回転数制御を行い、室内への風量制御を行うことにより、例えば第２吹出口２５から室内に延びる配管の長さや室内の広さにより変化する気圧等の影響を受けやすい風量を、ほぼ一定に保つことができる。
【００４０】
（２）効果
（Ａ）
本実施形態に係る電流検出装置９によると、電流検出部９５が検出するＧＮＤ電流Ｉｇに含まれる駆動電流Ｉｄは電流平準化部９３により平準化されている。従って、駆動電流Ｉｄが変動する場合であっても、電流検出部９５により検出されたモータ電流Ｉｍと平準化された駆動電流Ｉｄとの和に基づいて、精度の良いモータ電流Ｉｍを得ることができる。
【００４１】
（Ｂ）
特に、電流検出装置９における電流平準化部９３は、抵抗Ｒ１及びコンデンサＣ１からなるいわゆるフィルタ回路で構成することができる。このように、電流検出装置９は、簡単な構成を有する電流平準化部９３により、駆動電流Ｉｄを平準化することができる。
【００４２】
（Ｃ）
第２ファンモータ８１及び第２モータドライバ８２が第２ファンモータ装置８に内蔵されている場合、その第２ファンモータ装置８の構造上、第２ファンモータ８１に通電されたモータ電流Ｉｍが流れる配線と第２モータドライバ８２に通電された駆動電流Ｉｄが流れる配線とを、別々に設けることが困難である。しかし、このような場合において本実施形態に係る電流検出装置９を適用すると、駆動電流Ｉｄは電流平準化部９３により平準化されるため、精度の良いモータ電流Ｉｍを得ることができる。
【００４３】
（Ｄ）
また、電流検出装置９は、空気調和装置１における第２ファンモータ８１の電流検出用として用いることができる。このように、電流検出装置９が用いられた空気調和装置１によると、制御部１１は、電流検出装置９により検出されたモータ電流Ｉｍと平準化された駆動電流Ｉｄとの和に基づいて、モータ電流Ｉｍを精度良く求めることができると共に、このモータ電流Ｉｍを用いて、例えば室内に送られる風量が一定となるような制御を行うことができる。
【００４４】
＜その他の実施形態＞
（ａ）
上記実施形態では、空気調和装置１が熱交換器を内部に備えるデシカント式外調機である場合を例に取り説明した。しかし、本発明に係る空気調和装置は、熱交換器が空気調和装置とは別に備えられるようなタイプのデシカント式空調機や、デシカント以外の方式が採用された空調機にも適用できる。
【００４５】
（ｂ）
上記実施形態では、電流検出装置９の電流平準化部９３が、抵抗Ｒ１とコンデンサＣ１とからなるフィルタで構成された場合について説明した。しかし、本発明に係る電流平準化部は、電流検出部９５のシャント抵抗Ｒｓにより電流検出が行われる前に駆動電流Ｉｄを平準化できるものであれば、どのような構成であってもよい。
【００４６】
（ｃ）
上記実施形態では、電流検出装置９が第２ファンモータ装置８における第２ファンモータ８１のモータ電流Ｉｍを検出する場合について説明したが、本発明に係る電流検出装置の用途は、これに限定されない。本発明に係る電流検出装置は、例えば、モータとドライバとがそれぞれ個別に設けられているが、モータ電流が流れるモータ電流用のＧＮＤ配線と駆動電流が流れる駆動電流用のＧＮＤ配線とが別々に設けられているのではなく、モータ電流と駆動用電流とが共に１つのＧＮＤ配線上に流れてしまう場合にも適用できる。
【００４７】
（ｄ）
上記実施形態では、室内に送られる調湿後の空気ＳＡの風量制御を行うため、電流検出装置９が、第２ファンモータ８１を通電したモータ電流Ｉｍを含むＧＮＤ電流Ｉｇを検出し、制御部１１がこのＧＮＤ電流Ｉｇからモータ電流Ｉｍを算出して第２ファン６ｂの風量制御を行う場合について説明した。しかし、本発明に係る電流検出装置が電流検出を行う対象は、第２ファンモータ８１でなくともよい。電流検出装置は、例えば第１ファンモータ７や圧縮機用モータ５の電流検出用として用いられても良い。
【００４８】
また、第１ファンモータ７は、第２ファンモータ８１と同様に、第１モータドライバ７１と共にファンモータ装置に含まれていてもよい。
【００４９】
（ｅ）
上記実施形態において、図８に示すように、モータ用電源装置１０ａの出力とＧＮＤとの間に電圧検出部１４を接続してもよい。電圧検出部１４は、モータ用電源装置１０ａから出力される電源の電圧値を検出する。尚、電圧検出部１４が検出した電圧値は、制御部１１に取り込まれるとする。これにより、制御部１１は、検出された電圧値と算出したモータ電流Ｉｍとを用いて、第２ファンモータ８１のモータ電力を算出することができる。従って、制御部１１は、このモータ電力を用いて、空気調和装置１に含まれる第２ファンモータ８１やその他の機器の各種制御等を行うことができる。
【００５０】
（ｆ）
上記実施形態において、図９に示すように、第２ファンモータ８１の回転数を検出するための回転数検出部１５を更に設けても良い。この回転数検出部１５は、第２ファンモータ装置８に直接取り付けて第２ファンモータ８１の回転数を検出するタイプのものや、第２ファンモータ８１においてステータに対するロータの位置を検出するホール素子からの出力信号を用いて回転数を検出するタイプ、第２モータドライバ８２が第２ファンモータ８１に出力する駆動電圧に基づいてロータの位置を推定し、推定したロータの位置を用いて回転数を検出するタイプ等、どのようなタイプのものであってもよい。尚、上述したタイプのうち、回転数検出部１５が第２ファンモータ装置８に直接取り付けるタイプ以外である場合は、回転数検出部１５は、プリント基板Ｐ１上に実装されてもよいし、プリント基板Ｐ１とは異なる他の基板に実装されていてもよい。図９では、回転数検出部１５がプリント基板Ｐ１とは別の他の基板に実装されている場合を示している。また、回転数検出部１５が検出した第２ファンモータ８１の回転数は、制御部１１に取り込まれるとする。
【００５１】
これにより、制御部１１は、検出された第２ファンモータ８１の回転数と算出したモータ電流Ｉｍとを用いて、第２ファンモータ８１のモータトルクを算出することができる。従って、制御部１１は、このモータトルクを用いて空気調和装置１に含まれる第２ファンモータ８１やその他の機器の各種制御等を行うことができる。
【産業上の利用可能性】
【００５２】
本発明に係る電流検出装置は、駆動電流が変動する場合であっても、モータ電流が、電流検出部により検出されたモータ電流と平準化された駆動電流との和に基づいて精度良く求められるという効果を有し、空気調和装置に適用することができる。
【図面の簡単な説明】
【００５３】
【図１】本実施形態に係る空気調和装置の構成を示す平面概略図。
【図２】本実施形態に空気調和装置の冷媒回路図。
【図３】空気調和装置が備えている第１及び第２熱交換器の斜視図。
【図４】本実施形態に係る電流検出装置が実装されたプリント基板内部の回路構成と、このプリント基板に接続された第２ファンモータ装置の概略構成とを示す図。
【図５】電流平準化部が設けられていない場合の、駆動電流Ｉｄ、モータ電流Ｉｍ及びＧＮＤ電流Ｉｇの経時的変化を示すグラフ。
【図６】本実施形態に係る電流検出装置の電流平準化部を用いて駆動電流を平準化した場合の、駆動電流Ｉｄ、モータ電流Ｉｍ及びＧＮＤ電流Ｉｇの時的変化を示すグラフ。
【図７】本実施形態に係る空気調和装置の構成を模式的に示すブロック図。
【図８】その他の実施形態（ｅ）に係る電流検出装置が実装されたプリント基板内部の回路構成と、このプリント基板に接続された第２ファンモータ装置の概略構成とを示す図。
【図９】その他の実施形態（ｆ）に係る電流検出装置が実装されたプリント基板内部の回路構成と、このプリント基板に接続された第２ファンモータ装置の概略構成とを示す図。
【符号の説明】
【００５４】
１  空気調和装置
２  ケーシング
３ａ  第１熱交換器
３ｂ  第２熱交換器
４  圧縮機
５  圧縮機用モータ
６ａ  第１ファン
６ｂ  第２ファン
７  第１ファンモータ
８  第２ファンモータ装置
９  電流検出装置
１１  制御部
７１  第１モータドライバ
８１  第２ファンモータ
８２  第２モータドライバ
９１  モータ用電源配線
９２  駆動用電源配線
９３  電流平準化部
９４  ＧＮＤ配線
９５  電流検出部
Ｒ１  抵抗
Ｃ１  コンデンサ
Ｒｓ  シャント抵抗
ＯＰ１  オペアンプ
Ｉｍ  モータ電流
Ｉｄ  駆動電流
Ｉｇ  ＧＮＤ電流
【図１】
0004434254.tif 000002
【図２】
0004434254.tif 000003
【図３】
0004434254.tif 000004
【図４】
0004434254.tif 000005
【図５】
0004434254.tif 000006
【図６】
0004434254.tif 000007
【図７】
0004434254.tif 000008
【図８】
0004434254.tif 000009
【図９】
0004434254.tif 000010